(57)【要約】【課題】本発明は施工後に発光機能だけを実装することが可能であり、多種多様な形状とすることができ、発光素子が露呈していないのでキズや損傷に強い手摺りを提供する。【解決手段】本発明の手摺りは、開口部８と当該開口部８に対向した上面部３ａとを有する一部開口中空の芯材３と、この芯材３を被覆する補助手摺り４と、複数の発光部７ａ...が配線を介して接続された可撓性を有する発光ユニット７と、芯材３の開口部８に装着され、発光ユニット７を構成する各発光部７ａ...から照射された光を拡散する拡散保護カバー６とを備え、発光ユニット７の各発光部７ａ...は、上記芯材３の開口部８に対向した上面部３ａに固定されることを特徴とする。【選択図】  図２
2013221297.tif 000002
【特許請求の範囲】
【請求項１】
開口部と当該開口部に対向した対向面とを有する一部開口中空の芯材と、
上記芯材を被覆する補助手摺りと、
複数の発光部が配線を介して接続された可撓性を有する発光ユニットと、
上記芯材の開口部に装着され、上記発光ユニットを構成する各発光部から照射された光を拡散する拡散保護カバーと、を備え、
上記発光ユニットの各発光部は、上記芯材の上記開口部に対向した上記対向面に固定されること
を特徴とする手摺り。
【請求項２】
上記芯材の上記開口部より、その一部が挿入され固定される複数のブラケットを更に備え、上記各ブラケットは所定間隔隔てて上記芯材に固定され、上記発光ユニットを構成する各発光部は、上記芯材の上記対向面のうち上記複数のブラケットが固定されていない領域に固定されること
を更に特徴とする請求項１に記載の手摺り。
【請求項３】
上記拡散保護カバーは、上記芯材の上記開口部のうち上記複数のブラケットが固定されていない領域に装着され、上記発光ユニットを被覆すること
を更に特徴とする請求項２のいずれかに記載の手摺り。
【請求項４】
上記発光ユニットの上記発光部には複数の発光ダイオードが実装されていること
を更に特徴とする請求項１乃至３のいずれかに記載の手摺り。
【請求項５】
上記可撓性を有する発光ユニットの発光部は、ボックス化されており、上記ブラケットとブラケットの間の上記芯材の上記対向面のうち上記複数のブラケットが固定されていない領域に、各々がボックス化された複数の発光部が固定されること
を更に特徴とする請求項２に記載の手摺り。
【発明の詳細な説明】
【技術分野】
【０００１】
本発明は、発光機能を備えた手摺りに関する。
【背景技術】
【０００２】
従来、屋内及び屋外の階段や廊下、傾斜路には、歩行の安全性を高めるために手摺りが設けられている。そして、今日では、夜間等、暗い所でも確認可能となるように、当該手摺りを発光させる技術が開発されている。
【０００３】
即ち、例えば特許文献１では、暗所でも見易く安全な発光機能付き手摺が開示されている。この手摺りでは、中空棒状の手摺本体に、複数の発光ダイオードからなる発光素子を取付けている。より詳細には、本体部の内壁面とは反対側の表面部分に上下方向に間隔をあけて複数の発光用窓が形成されており、該発光用窓に発光素子が内側から嵌め込まれており、該発光素子は、手摺本体の内部に配された回路基板上に実装されている。
【先行技術文献】
【特許文献】
【０００４】
【特許文献１】特開２０００−３２０１００号公報
【発明の概要】
【発明が解決しようとする課題】
【０００５】
しかしながら、特許文献１により開示された技術では、発光素子を装着するためには予め手摺本体に加工を施す必要があり、手摺りの施工後に事後的に発光機能だけを実装することはできない。更に、発光素子が１枚の回路基板上に実装されているので、発光部が可撓性を有しておらず、直線的な手摺りにしか実装することができない。また、発光素子が手摺り表面より露呈しているので、キズや損傷に弱い。
【０００６】
そこで、本発明は上述の技術的な課題に鑑み、施工後に発光機能だけを実装することが可能であり、多種多様な形状とすることができ、発光素子が露呈していないのでキズや損傷に強い手摺りを提供することを目的とする。
【課題を解決するための手段】
【０００７】
上述した技術的な課題を解決するため、本発明の一態様に係る手摺りは、開口部と当該開口部に対向した対向面とを有する一部開口中空の芯材と、上記芯材を被覆する補助手摺りと、複数の発光部が配線を介して接続された可撓性を有する発光ユニットと、上記芯材の開口部に装着され、上記発光ユニットを構成する各発光部から照射された光を拡散する拡散保護カバーと、を備え、上記発光ユニットの各発光部は、上記芯材の上記開口部に対向した上記対向面に固定されることを特徴としている。
【０００８】
この態様において、上記芯材の上記開口部より、その一部が挿入され固定される複数のブラケットを更に備え、上記各ブラケットは所定間隔隔てて上記芯材に固定され、上記発光ユニットを構成する各発光部は、上記芯材の上記対向面のうち上記複数のブラケットが固定されていない領域に固定されることとしてよい。
【０００９】
この態様において、上記拡散保護カバーは、上記芯材の上記開口部のうち上記複数のブラケットが固定されていない領域に装着され、上記発光ユニットを被覆することを更に特徴としてもよい。
【００１０】
この態様において、上記発光ユニットの上記発光部には複数の発光ダイオード（ＬＥＤ；Light Emitting Diode）が実装されていることを更に特徴としてもよい。
【００１１】
この態様において、上記可撓性を有する発光ユニットの発光部は、ボックス化されており、上記ブラケットとブラケットの間の上記芯材の上記対向面のうち上記複数のブラケットが固定されていない領域に、各々がボックス化された複数の発光部が固定されることを更に特徴としてよい。
【発明の効果】
【００１２】
本発明に係る手摺りによれば、施工後に発光機能だけを実装することができ、多種多様な形状とすることができ、発光素子が露呈していないので発光部をキズや損傷から保護することが可能となる。
【図面の簡単な説明】
【００１３】
【図１】本発明の一実施形態に係る手摺りの斜視図である。
【図２】図１のＩ−Ｉ線の断面図である。
【図３】図１のＩＩ−ＩＩ線の断面図である。
【図４】本発明の一実施形態に係る手摺りの電源制御系の構成図である。
【図５】本発明の一実施形態に係る手摺りの電源制御系の他の構成図である。
【図６】本発明の一実施形態に係る手摺りの他の構成を示す斜視図である。
【発明を実施するための形態】
【００１４】
以下、本発明の手摺りに係る好適な実施形態について図面を参照しながら説明する。なお、本発明の手摺りは、以下の記述に限定されるものではなく、本発明の要旨を逸脱しない範囲において、適宜変更可能である。
【００１５】
図１には本発明の一実施形態に係る手摺りの斜視図を示し、図２には図１のＩ−Ｉ線の断面図を示し、図３には図１のＩＩ−ＩＩ線の断面図を示し、当該手摺りの構成、作用について詳細に説明する。尚、図１では、手摺りの一部を透視した様子を示している。
【００１６】
これらの図に示されるように、この実施形態に係る手摺り１は、芯材３と当該芯材３を被覆するように当該芯材３に被せられた補助手摺り４からなる手摺り本体２と、当該手摺り本体２を壁面に固定するためのブラケット５と、からなる。ブラケット５は、基部５ａと支持部５ｂからなり、基部５ａは壁面に固定されており、該基部５ａから上方に延びた支持部５ｂは、詳細は後述するように芯材３に固定されている。
【００１７】
芯材３は、壁面に沿って長手方向に延びており、下面が開口された略コの字型を上面部３ａと対向する２枚の側面部３ｂ，３ｃとにより形成することを基本とする。そして、上方にて上面部３ａより左右方向（芯材３の長手方向の垂直な方向）にそれぞれ突出し長手方向に延びた上部脚部３ｄ，３ｅと、下方にて左右方向（芯材３の長手方向の垂直な方向）にそれぞれ突出し長手方向に延びた下部脚部３ｆ，３ｇと、を備えている。この芯材３は例えばアルミニウム押出形材等により構成されている。
【００１８】
補助手摺り４は、下部が開口された中空の略円筒形状となっており、芯材３を被覆するように被せられた際には、上部において上部脚部３ｄ，３ｅにより支持され、下部において左右の各先端が上方に向けて折れ曲がり、下部脚部３ｆ，３ｇに嵌め込まれ支持されるようになっている。補助手摺り４は、耐候性樹脂ＰＶＣ系エラストマー、ＰＶＣ、ＰＶＣ＋木目調の顔料を含むＰＶＣ等から構成されている。
【００１９】
即ち、耐候性樹脂ＰＶＣ系エストラマーとした場合には、ＰＶＣにゴム成分を配合した樹脂を２層成形し裏面コーティングにより耐候性、耐衝撃性、耐塩水性に優れている。ＰＶＣとした場合には、透明性、難燃性、耐薬品性に優れる。ＰＶＣ＋木目調の顔料を含むＰＶＣとした場合には、基本的にはＳＴＲと同じ原料で木目調の顔料を配合したＰＶＣを表面に２層成形したものとなる。補助手摺り４は、抗菌剤配合で衛生的であり、耐久性・耐候性に優れ、安全強度を誇る。
【００２０】
ブラケット５の基部５ａから延びた支持部５ｂは、手摺り本体２の開口部８より挿入され、芯材３の上面部３ａにその上端部５ｃが当接する位置で芯材３の側面部３ｂ，３ｃにより把持され、芯材３のネジ穴３ｊ，３ｋ、ブラケット５の支持部５ｂのネジ穴５ｄをネジ１０が螺合して固定されるようになっている。手摺り本体２には、複数のブラケット５が所定間隔をあけて接続され、これにより手摺り本体２が壁面に固定される。
【００２１】
芯材３の上面部３ａのうち、ブラケット５の上端部５ｃが当接していない領域においては、発光ユニット７の複数の発光部７ａ，７ｂ，７ｃ...が所定間隔で上面部３ａに接着材や両面テープ等により装着される。各発光部７ａ，７ｂ，７ｃ...間は配線９により接続されているので、発光ユニット７は、全体として可撓性を有することになる。例えばブラケット５の装着間隔が１ｍ、発光部７ａ，７ｂ，７ｃ...の各間隔が８０ｍｍであれば、約１２個の発光部をブラケット間に装着できることになる。
【００２２】
発光ユニット７において、各発光部７ａ，７ｂ，７ｃ...はＬＥＤ素子を２灯実装しており（図４，５の符号７１ａ，７１ｂ参照）、例えば、色温度は７０００〜８０００、入力電圧はＤＣ１２Ｖ、作動電流は０．００２５Ａ、消費電力は０．３０Ｗとなっている。この発光ユニット７の採用により、今まで暗かった外階段や廊下の足元を照らす手摺りが実現される。雨の日など、傘をさして階段を昇り降りする場合も足元の約６０ｃｍ巾をＬＥＤ素子により照らすことができるので安全な昇り降りが実現されることになる。
【００２３】
ＬＥＤ素子を採用することで、長寿命であるため、取り替えの手間がかからず、メンテナンスにかかるコストを抑えることができる。さらに、蛍光灯と異なり紫外線を放出しないため、虫が集まらずクリーンに使用することができる。
【００２４】
このように、この実施形態に係る手摺り１では、手摺り本体２を構成する芯材３の開口部８内に、所定ピッチでＬＥＤ素子を備えた発光部７ａ，７ｂ，７ｃ...を配置して手摺り１を見易くすると共に手摺りの下方を照明するようにした。
【００２５】
芯材３の、上面部３ａのうち、ブラケット５の上端部５ｃが当接していない領域においては、つまりブラケット間においては、発光ユニット７の複数の発光部７ａ，７ｂ，７ｃ...を覆うように、開口部８に拡散保護カバー６が嵌め込まれる。このとき、芯材３の側面部３ｂ，３ｃの下方に形成された凹部３ｈ，３ｉに、拡散保護カバー６の側面に長手方向に連続して形成された段差部６ａ，６ｂが入ることで、芯材３に対する拡散保護カバー６の装着時の位置決めがなされる。
【００２６】
補助手摺り４とブラケット５の支持部５ｂとの間には空隙８ａ，８ｂが存在するが、発光部と発光部とをつなぐ配線９は、ブラケット５を介するときには、当該空隙８ａ，８ｂを通される。
【００２７】
配線の最端は、壁裏、側壁等を利用して配線されているコントローラ２０を介して電源に接続されているので、コントローラ２０の制御の下、電源のオン／オフによって発光ユニット７への通電が制御されるようになっている。
【００２８】
次に図４には本発明の一実施形態に係る手摺りの電源制御系の構成図を示し説明する。
【００２９】
同図に示されるように、手摺り１の複数の発光部７ａ，７ｂ，７ｃ...を備えた発光ユニット７の配線９は電源制御用のコントローラ２０に接続されている。ＡＣ１００Ｖの電源はスイッチング電源２２に接続され、ＤＣ１２Ｖに変換される。このスイッチング電源２２は、バッテリ２３に接続されており、ＤＣ１２Ｖにより充電される。
【００３０】
このバッテリ２３は、明るさセンサ２１やコントローラ２０に電源電圧を供給すべく各部に接続されている。明るさセンサ２１は、この例では、２０〜８０ｌｘでオン、１００〜３００ｌｘでオフするように設定されている。即ち、コントローラ２０は、この明るさセンサ２１からの制御信号に基づいて、電源のオン／オフを制御する。ＡＣ１００Ｖの電源は、既存の蛍光灯等の電源を共用することが可能である。
【００３１】
このような構成において、屋外蛍光灯等の電源を共用し、当該電源から供給されるＡＣ１００Ｖの電圧をスイッチング電源２２にてＤＣ１２Ｖに変換する。そして、この変換されたＤＣ１２Ｖがバッテリ２３に与えられる。バッテリ２３を介して明るさセンサ２１に電源電圧が供給され、明るさセンサ２１は駆動する。また、バッテリ２３を介して電源電圧は全体の電源制御を司るコントローラ２０にも供給される。明るさセンサ２１は、外部環境の明るさに基づいて所定の制御信号をコントローラ２０に出力する。即ち、２０〜８０ｌｘの明るさを検知した場合には手摺りの発光をオンすべく制御信号をコントローラ２０に出力し、１００〜３００ｌｘの明るさを検知した場合には手摺りの発光をオフすべく制御信号をコントローラ２０に出力する。コントローラ２０は、この制御信号に基づいて発光ユニット７の発光部７ａ，７ｂ，７ｃ...の発光を制御する。
【００３２】
次に図５には本発明の一実施形態に係る手摺りの電源制御系の他の構成図を示し説明する。ここでは、図４と同一構成については同一符号を用いて重複した説明は省略する。
【００３３】
同図に示されるように、図４の構成に加えて、熱線センサ（センサ受信器）２４、熱線センサ（センサ発信器）２５、協約型タイムスイッチ２６を更に備えている。
【００３４】
これら熱線センサ（センサ受信器）２４、熱線センサ（センサ発信器）２５、協約型タイムスイッチ２６には、電源よりＡＣ１００Ｖの電源電圧が供給される。ここで、熱線センサとは、熱線センサ（センサ発振器）２５より赤外線や超音波、可視光等を出射し、人等の検出対象により反射した赤外線や超音波、可視光等を熱線センサ（センサ受信器）２４により受信することで、人等の存在を検出するものである。熱線センサ２４，２５により所定範囲内での人等の存在が検出された場合には、その旨を示す信号がコントローラ２０に送信される。コントローラ２０は、人等の存在の有無により、発光ユニット７の発光部７ａ，７ｂ，７ｃ...等の発光のオン／オフを制御することができる。また、協約型タイムスイッチ２６は、点灯開始時間と消灯時間を管理するためのものであり、点灯開始時間や消灯時間をスイッチ操作により入力することができる。この設定情報は、コントローラ２０に送られ、コントローラ２０は当該設定情報に基づいて、発光ユニット７の発光部７ａ，７ｂ，７ｃ...等の発光のオン／オフを制御することができる。
【００３５】
従って、この構成の場合には、コントローラ２０は、熱線センサ２４，２５の出力、協約型タイムスイッチ２６による設定情報、明るさセンサ２１の出力に基づいて、発光ユニット７の発光部７ａ，７ｂ，７ｃ...の発光のオン／オフを制御することができ、そのとき、いずれかの出力を優先するようにしてもよい。例えば、協約型タイムスイッチ２６により設定された点灯開始時間と消灯時間とを基本としつつ、点灯開始前でも熱線センサ２４，２５により人等を検出した場合には所定時間だけ点灯したり、点灯開始前でも明るさセンサ２１により所定の明るさ（例えば２０〜８０ｌｘ）を検知した場合には点灯をオンしたりするように制御してもよい。
【００３６】
ここで、この実施形態に係る手摺りは、発光ユニットの採用により多種多様な形状とすることができるが、その一例を示したのが図６である。ここでは、説明の便宜上、図１と同種の構成については、図１と同様の符号を付し、説明を進める。
【００３７】
即ち、図６に示される手摺り５１では、芯材３及び補助手摺り４が、不図示の壁面に沿って湾曲して形成されているが、発光ユニット７の複数の発光部７ａ，７ｂ，７ｃ，７ｄ，７ｅは、その湾曲した芯材３の上面部に接着材或いは両面テープ等により固定され、各発光部間は配線９により接続されている。発光部自体はボックス化されているが、その間が配線により接続される構成となっているので、発光ユニット７は全体として可撓性を有することになり、この例のような湾曲した芯材３、補助手摺り４からなる手摺り本体２にも対応可能となる。尚、ブラケット５が装着されている部分においては、ブラケット５の支持部５ｂと芯材３の側面との間の隙間に配線が通されることになる。
【００３８】
以上説明したように、本発明の一実施形態によれば、開口部８と当該開口部８に対向した対向面としての上面部３ａとを有する一部開口中空の芯材３と、芯材３を被覆する補助手摺り４と、複数の発光部７ａ，７ｂ，７ｃ...が配線９を介して接続された可撓性を有する発光ユニット７と、芯材３の開口部８に装着され、発光ユニット７を構成する各発光部７ａ，７ｂ，７ｃ...から照射された光を拡散する拡散保護カバー６とを備え、発光ユニット７の各発光部７ａ，７ｂ，７ｃ...は、芯材３の開口部８に対向した対向面としての上面部３ａに固定されることを特徴とする手摺りが提供される。従って、この手摺りによれば発光ユニット７が可撓性を有するので、多種多様な形状とすることができる。また、拡散保護カバー６は、発光部７ａ，７ｂ，７ｃ...からの光を拡散すると共に、該発光部の落下を防止し、更に外傷から保護することができる。
【００３９】
ここで、芯材３の開口部８より、その一部が挿入され固定される複数のブラケット５を更に備え、上記各ブラケット５は所定間隔隔てて芯材３に固定され、発光ユニット７を構成する各発光部７ａ，７ｂ，７ｃ...は、芯材３の上記対向面としての上面部３ａのうち複数のブラケット５が固定されていない領域に固定されることとしてもよい。従って、これによればブラケット間に複数の発光部を効率良く実装することができ、事後的に発光機能を実装することも可能となる。
【００４０】
さらに、拡散保護カバー６は、芯材３の開口部８のうち複数のブラケット５が固定されていない領域に装着され、発光ユニット７を被覆してもよい。従って、これによれば、手摺りを多種多様な形状とすることができ、更に発光ユニット７を効率良く保護することが可能となる。
【００４１】
また、発光ユニット７の発光部７ａ，７ｂ，７ｃ...には複数の発光ダイオード（ＬＥＤ素子）が実装されていることとしてもよい。従って、手摺りの足元照明等に好適な光量に発光ダイオードの数等により調整することができる。
【００４２】
さらに、可撓性を有する発光ユニット７の発光部７ａ，７ｂ，７ｃ...は、ボックス化されており、ブラケット５とブラケット５の間の芯材３の上記対向面としての上面部３ａのうち上記複数のブラケット５が固定されていない領域に、各々がボックス化された複数の発光部７ａ，７ｂ，７ｃ...が固定されてもよい。これによれば、ボックス化された発光部７ａ，７ｂ，７ｃがブラケット間の距離に比して小さく、ブラケット間に配線９で接続された複数の発光部７ａ，７ｂ，７ｃ...を固定することができるので、全体として可撓性が実現され、手摺りを多種多様な形状とすることが可能となる。
【００４３】
以上、本発明の一実施形態について説明したが、本発明はこれに限定されることなくその主旨を逸脱しない範囲で種々の改良・変更が可能であることは勿論である。例えば、図示したブラケット５は一例に過ぎず、多種多様なブラケットを適用することができる。
【符号の説明】
【００４４】
１  手摺り
２  手摺り本体
３  芯材
３ａ  上面部
３ｂ，３ｃ  側面部
３ｄ，３ｅ  上部脚部
３ｆ，３ｇ  下部脚部
３ｈ，３ｉ  凹部
３ｊ，３ｋ  ネジ穴
４  補助手摺り
５  ブラケット
５ａ  基部
５ｂ  支持部
５ｃ  上端部
５ｄ  ネジ穴
６  拡散保護カバー
６ａ，６ｂ  段差部
７  ＬＥＤユニット
７ａ，７ｂ，７ｃ...  発光部
８  開口部
８ａ，８ｂ  空隙
９  配線
１０  ねじ
２０  コントローラ
２１  明るさセンサ
２２  スイッチング電源
２３  バッテリ
２４  熱線センサ
２５  熱線センサ
２６  協約型タイムスイッチ
５１  手摺り
【図１】
2013221297.tif 000003
【図２】
2013221297.tif 000004
【図３】
2013221297.tif 000005
【図４】
2013221297.tif 000006
【図５】
2013221297.tif 000007
【図６】
2013221297.tif 000008